(57)【要約】      （修正有）【課題】電圧切替え制御回路により液晶正電圧（＋Ｖｌｃｄ）と液晶負電圧（-Ｖｌｃｄ）を切替ええて交互に出力、且つ、セグメントドライバとコモンドライバの必要電圧を変わりなく提供する液晶ディスプレイドライバを提案する。【解決手段】液晶正電圧（＋Ｖｌｃｄ）と液晶負電圧（-Ｖｌｃｄ）は同時に存在させないことも可能である。よって本発明は電圧切替え制御回路により液晶正電圧（＋Ｖｌｃｄ）と液晶負電圧（-Ｖｌｃｄ）を切替ええて交互に出力、且つ、セグメントドライバとコモンドライバの必要電圧を変わりなく提供する。また、本発明の液晶ディスプレイドライバは、半導体製造工程において元来の回路設計に応じて元来のＶｌｃｄ-ＧＮＤを選択すればよく、よって、液晶ディスプレイドライバの製造工程設備は、高電圧製造工程設備が不要で部品サイズも縮小可能である為、大幅な製造コスト削減となる。【選択図】図３
2007171243.tif 000002
【特許請求の範囲】
【請求項１】
液晶ディスプレイドライバは、次の構成要素（ａ）（ｂ）（ｃ）（ｄ）を含み、
（ａ）駆動電圧発生回路は、これによって液晶正電圧（＋Ｖｌｃｄ）液晶負電圧（-Ｖｌｃｄ）分段正電圧（＋Ｖｓｅｇ）共電極電圧（Ｖｃｏｍ）及び分段負電圧（−Ｖｓｅｇ）を発生させ出力し、
（ｂ）セグメントドライバは、駆動極性信号（ＣＯＮ）によって制御されており、分段正電圧（＋Ｖｓｅｇ）及び分段負電圧（−Ｖｓｅｇ）を受けて分段駆動信号（ＳＥＧ）を出力し、
（ｃ）電圧切替え制御回路は駆動極性信号（ＣＯＮ）によって制御されており、液晶正電圧（＋Ｖｌｃｄ）と分段正電圧（＋Ｖｓｅｇ）及び分段負電圧（−Ｖｓｅｇ）と液晶負電圧（-Ｖｌｃｄ）を受けて、ネガティブ区間（Ｎｅｇａｔｉｖｅ  Ｆｒａｍｅ）とポジティブ区間（Ｐｏｓｉｔｉｖｅ  Ｆｒａｍｅ）状態での駆動極性信号（ＣＯＮ）に対応して制御された液晶正電圧（＋Ｖｌｃｄ）または液晶負電圧（-Ｖｌｃｄ）を、第一出力端と第二出力端から交互に出力し、
（ｄ）コモンドライバは駆動極性信号（ＣＯＮ）によって制御されており、電圧切替え制御回路両出力端から提供された液晶正電圧（＋Ｖｌｃｄ）、液晶負電圧（-Ｖｌｃｄ）及び共電極電圧（Ｖｃｏｍ）を受けて通用駆動信号（ＣＯＭ）を出力することを特徴とする、液晶ディスプレイドライバ。
【請求項２】
請求項１記載の液晶ディスプレイドライバにおいて、前記電圧切替え制御回路は、第一スイッチと第二スイッチを含み、その第一スイッチは、第一出力端を液晶正電圧（＋Ｖｌｃｄ）出力端または分段正電圧（＋Ｖｓｅｇ）出力端に接続、またその第二スイッチは液晶負電圧（-Ｖｌｃｄ）出力端または分段負電圧（−Ｖｓｅｇ）出力端に接続することを特徴とする、液晶ディスプレイドライバ。
【請求項３】
請求項２記載の液晶ディスプレイドライバにおいて、第一出力端と第二出力端の電性を保存コンデンサの正電圧端（ＶＰ）または負電圧端（ＶＮ）にそれぞれ接続することを特徴とする、液晶ディスプレイドライバ。
【請求項４】
請求項２記載の液晶ディスプレイドライバにおいて、駆動極性信号（ＣＯＮ）はポジティブ区間（Ｐｏｓｉｔｉｖｅ  Ｆｒａｍｅ）の理論形態において、第一スイッチは第一出力端を分段正電圧（＋Ｖｓｅｇ）出力端に、電圧切替え制御回路は第二出力端を液晶負電圧（-Ｖｌｃｄ）の出力端に接続することを特徴とする、液晶ディスプレイドライバ。
【請求項５】
請求項２記載の液晶ディスプレイドライバにおいて、駆動極性信号（ＣＯＮ）はネガティブ区間（Ｎｅｇａｔｉｖｅ  Ｆｒａｍｅ）の理論形態である場合、第一スイッチは第一出力端を液晶正電圧（＋Ｖｌｃｄ）出力端に、第二スイッチは第二出力端を分段負電圧（−Ｖｓｅｇ）の出力端に接続することを特徴とする、液晶ディスプレイドライバ。
【発明の詳細な説明】
【技術分野】
【０００１】
本発明は、液晶ディスプレイドライバに関するもので、特に液晶正電圧（＋Ｖｌｃｄ）と液晶負電圧（-Ｖｌｃｄ）を自動的に切替えする回路であり、駆動電圧回路の製造工程においてはＶｌｃｄ-ＧＮＤの選択が可能である液晶ディスプレイドライバに関するものである。
【背景技術】
【０００２】
ＳＴＮｃ（Ｓｕｐｅｒ  Ｔｗｉｓｔｅｄ  Ｎｅｍａｔｉｃ）液晶ディスプレイ（ＬＣＤ：Ｌｉｑｕｉｄ  Ｃｒｙｓｔａｌ  Ｄｉｓｐｌａｙ）ドライバの５レベル駆動方法においては、五つの駆動電圧を使って一つの液晶ディスプレイを駆動する。詳しい説明を加えれば、四つの駆動電圧及び一つの分段負電圧（−Ｖｓｅｇ）である。一般のＨｉＦａｓ（Ｈｉｇｈ  Ｆｒｅｑｕｅｎｃｙ  Ａｍｐｌｉｔｕｄｅ  Ｓｅｌｅｃｔｉｏｎ  Ｍｅｔｈｏｄ）によるＩＣ駆動の規格は、液晶正電圧（＋Ｖｌｃｄ）が＋２０Ｖ、液晶負電圧（-Ｖｌｃｄ）は−２０Ｖで、半導体製造工程では耐圧４０Ｖの高圧製造工程を選択する必要がある。
【０００３】
図１に、５レベル駆動方法に基づいて運用された従来品液晶ディスプレイドライバのフローチャートを示す。図1を参照すると、従来の液晶ディスプレイドライバは駆動電圧発生回路１１を含んでおり、これによって五つの駆動電圧を発生させ、また、この五つの駆動電圧は、液晶正電圧（＋Ｖｌｃｄ）、液晶負電圧（-Ｖｌｃｄ）、分段正電圧（＋Ｖｓｅｇ）、共電極電圧（Ｖｃｏｍ）、分段負電圧（−Ｖｓｅｇ）を含んでいる。駆動極性信号（ＣＯＮ）に制御されたセグメントドライバ１１は分段正電圧（＋Ｖｓｅｇ）及び分段負電圧（−Ｖｓｅｇ）を受けて分段駆動信号（ＳＥＧ）を発生させる。駆動極性信号（ＣＯＮ）に制御されたコモンドライバ１３は、液晶正電圧（＋Ｖｌｃｄ）、共電極電圧（Ｖｃｏｍ）及び液晶負電圧（-Ｖｌｃｄ）を受けて通用駆動信号（ＣＯＭ）を発生させる。駆動極性信号（ＣＯＮ）の分段駆動信号（ＳＥＧ）と通用駆動信号（ＣＯＭ）の電圧ウェーブ図は図２に示すとおりである。
【０００４】
従来の液晶ディスプレイドライバにおいて、図２ではっきりわかるように、液晶ディスプレイ（例えばＳＴＮ  ＬＣＤやＣＳＴＮ  ＬＣＤ）の操作時、通用駆動信号（ＣＯＭ）の理論形態において表示時間をポジティブ区間（Ｐｏｓｉｔｉｖｅ  Ｆｒａｍｅ）とネガティブ区間（Ｎｅｇａｔｉｖｅ  Ｆｒａｍｅ）に分けることができ、その内、ネガティブ区間（Ｎｅｇａｔｉｖｅ  Ｆｒａｍｅ）の理論形態では、低電圧、ポジティブ区間（Ｐｏｓｉｔｉｖｅ  Ｆｒａｍｅ）を高電圧とし、（図２参照）もしくは、ネガティブ区間（Ｎｅｇａｔｉｖｅ  Ｆｒａｍｅ）の理論形態は高電圧、ポジティブ区間（Ｐｏｓｉｔｉｖｅ  Ｆｒａｍｅ）を低電圧（図中未表示）とする。図２に示す駆動極性信号（ＣＯＮ）の理論形態に基づくと、ポジティブ区間（Ｐｏｓｉｔｉｖｅ  Ｆｒａｍｅ）段階では液晶負電圧（-Ｖｌｃｄ）が、ネガティブ区間（ＮＮｅｇａｔｉｖｅ  Ｆｒａｍｅ）段階では液晶正電圧（＋Ｖｌｃｄ）が必要で、また、二組の電圧具は以下の関係となる。
+Ｖｌｃｄ-（-Ｖｓｅｇ）＝+Ｖｓｅｇ-（-Ｖｌｃｄ）
例えば  +Ｖｌｃｄ＝２０Ｖ；-Ｖｌｃｄ＝-１５Ｖ；-Ｖｓｅｇ＝0Ｖ；Ｖｓｅｇ＝5Ｖ。
即ち、液晶ディスプレイドライバの半導体製造工程では、耐圧を選択して駆動電圧発生回路１１の最高電圧+Ｖｌｃｄと最低電圧-Ｖｌｃｄ間の圧力差を得なければならず、詳しく言えば、半導体製造工程において、高圧（４０Ｖ）部品完成を考慮しなければならない。
【０００５】
しかしながら、高圧部品に必要なチップ面積は非常に大きく、耐圧が大きくなれば高圧部品のサイズも益々増大する。また、高圧部品の半導体製造工程は、一般の半導体製造工程に必要な設備コストよりも更に高く、且つサイズも大きくなればなる程、材料需要も増大、コストは相当アップする。
【発明の開示】
【発明が解決しようとする課題】
【０００６】
本発明は、電圧切替え制御回路を有する液晶ディスプレイドライバを提案する。液晶ディスプレイドライバの液晶正電圧（＋Ｖｌｃｄ）と液晶負電圧（-Ｖｌｃｄ）はそれぞれネガティブ区間（Ｎｅｇａｔｉｖｅ  Ｆｒａｍｅ）もしくはポジティブ区間（ＰｏｓｉｔｉｖｅＦｒａｍｅ）に現れ、同時に存在することがない。即ち、液晶正電圧（＋Ｖｌｃｄ）と液晶負電圧（-Ｖｌｃｄ）は同時に存在させないことも可能である。よって本発明は電圧切替え制御回路により液晶正電圧（＋Ｖｌｃｄ）と液晶負電圧（-Ｖｌｃｄ）を切替ええて交互に出力、且つ、セグメントドライバとコモンドライバの必要電圧を変わりなく提供する。また、本発明の液晶ディスプレイドライバは、半導体製造工程において元来の回路設計に応じて元来のＶｌｃｄ-ＧＮＤを選択すればよく、よって、液晶ディスプレイドライバの製造工程設備は、高電圧製造工程設備が不要で部品サイズも縮小可能である為、大幅な製造コスト削減となる。
【０００７】
本発明の液晶ディスプレイドライバは、駆動電圧発生回路、セグメントドライバ、コモンドライバ及び電圧切替え制御回路によって構成され、駆動電圧発生回路は、五つの駆動電圧を発生させ、その電圧とは、液晶正電圧（＋Ｖｌｃｄ）、液晶負電圧（-Ｖｌｃｄ）、分段正電圧（＋Ｖｓｅｇ）、共電極電圧（Ｖｃｏｍ）、分段負電圧（−Ｖｓｅｇ）である。セグメントドライバは分段正電圧（＋Ｖｓｅｇ）及び分段負電圧（−Ｖｓｅｇ）を受けて分段駆動信号（ＳＥＧ）を出力、電圧切替え制御回路は液晶正電圧（＋Ｖｌｃｄ）、分段正電圧（＋Ｖｓｅｇ）、分段負電圧（−Ｖｓｅｇ）、液晶負電圧（-Ｖｌｃｄ）を受け第一出力端と第二出力端からそれぞれ出力された液晶正電圧（＋Ｖｌｃｄ）、液晶負電圧（-Ｖｌｃｄ）と共電極電圧（Ｖｃｏｍ）はコモンドライバが受けて通用駆動信号（ＣＯＭ）を出力する。
【０００８】
本発明に含まれる電圧切替え制御回路は第一スイッチ、第二スイッチを構成要素とし、その内の第一スイッチは第一出力端を液晶正電圧（＋Ｖｌｃｄ）の出力端、もしくは分段正電圧（＋Ｖｓｅｇ）の出力端に接続した後、第一出力端はコモンドライバの正電圧端に接続、また第二スイッチは液晶負電圧（-Ｖｌｃｄ）もしくは分段負電圧（−Ｖｓｅｇ）の出力端に接続した後、第二出力端はコモンドライバの負電圧端に接続する。
【０００９】
更に詳細を示すが、本発明を液晶ディスプレイに繋いで操作する場合、ポジティブ区間（Ｐｏｓｉｔｉｖｅ  Ｆｒａｍｅ）段階では、液晶負電圧（-Ｖｌｃｄ）のみの使用となり、またネガティブ区間（Ｎｅｇａｔｉｖｅ  Ｆｒａｍｅ）段階では液晶正電圧（＋Ｖｌｃｄ）のみの使用となり、液晶負電圧（-Ｖｌｃｄ）と液晶正電圧（＋Ｖｌｃｄ）は同時に存在することはない。よって、表示状態がポジティブ区間（Ｐｏｓｉｔｉｖｅ  Ｆｒａｍｅ）である時、第一スイッチは第一出力端分段正電圧（＋Ｖｓｅｇ）の出力端に、第二スイッチは第二出力端を液晶負電圧（-Ｖｌｃｄ）の出力端に接続する。つまり、ポジティブ区間（Ｐｏｓｉｔｉｖｅ  Ｆｒａｍｅ）の場合、電圧切替え制御回路は分段正電圧（＋Ｖｓｅｇ）と液晶負電圧（-Ｖｌｃｄ）をコモンドライバまで導通、ポジティブ区間（Ｐｏｓｉｔｉｖｅ  Ｆｒａｍｅ）段階においてのみコモンドライバの必要電圧となる。
【００１０】
表示状態がネガティブ区間（Ｎｅｇａｔｉｖｅ  Ｆｒａｍｅ）段階である場合、第一スイッチは第一出力端を液晶正電圧（＋Ｖｌｃｄ）の出力端に接続、第二スイッチは第二出力端を分段負電圧（−Ｖｓｅｇ）の出力端に接続させ、よってネガティブ区間（Ｎｅｇａｔｉｖｅ  Ｆｒａｍｅ）においては電圧切替え制御回路は液晶正電圧（＋Ｖｌｃｄ）と分段負電圧（−Ｖｓｅｇ）を導通、液晶正電圧（＋Ｖｌｃｄ）はネガティブ区間（Ｎｅｇａｔｉｖｅ  Ｆｒａｍｅ）段階においてのみコモンドライバの必要電圧となる。
【００１１】
本発明は、電圧切替え制御回路をポジティブ区間（Ｐｏｓｉｔｉｖｅ  Ｆｒａｍｅ）またはネガティブ区間（Ｎｅｇａｔｉｖｅ  Ｆｒａｍｅ）の異なる段階において液晶負電圧（-Ｖｌｃｄ）と液晶正電圧（＋Ｖｌｃｄ）を切替えコモンドライバに入力するもので、同一時間に液晶負電圧（-Ｖｌｃｄ）と液晶正電圧（＋Ｖｌｃｄ）を同時に存在させないことを特徴としており、液晶ディスプレイドライバの半導体製造工程においては元来の回路設計に基づいて元来のＶｌｃｄ-ＧＮＤを選択すればよく、セグメントドライバとコモンドライバの必要電圧を変わりなく提供する。
【課題を解決するための手段】
【００１２】
請求項１の発明は、液晶ディスプレイドライバは、次の構成要素（ａ）（ｂ）（ｃ）（ｄ）を含み、
（ａ）駆動電圧発生回路は、これによって液晶正電圧（＋Ｖｌｃｄ）液晶負電圧（-Ｖｌｃｄ）分段正電圧（＋Ｖｓｅｇ）共電極電圧（Ｖｃｏｍ）及び分段負電圧（−Ｖｓｅｇ）を発生させ出力し、
（ｂ）セグメントドライバは、駆動極性信号（ＣＯＮ）によって制御されており、分段正電圧（＋Ｖｓｅｇ）及び分段負電圧（−Ｖｓｅｇ）を受けて分段駆動信号（ＳＥＧ）を出力し、
（ｃ）電圧切替え制御回路は駆動極性信号（ＣＯＮ）によって制御されており、液晶正電圧（＋Ｖｌｃｄ）と分段正電圧（＋Ｖｓｅｇ）及び分段負電圧（−Ｖｓｅｇ）と液晶負電圧（-Ｖｌｃｄ）を受けて、ネガティブ区間（Ｎｅｇａｔｉｖｅ  Ｆｒａｍｅ）とポジティブ区間（Ｐｏｓｉｔｉｖｅ  Ｆｒａｍｅ）状態での駆動極性信号（ＣＯＮ）に対応して制御された液晶正電圧（＋Ｖｌｃｄ）または液晶負電圧（-Ｖｌｃｄ）を、第一出力端と第二出力端から交互に出力し、
（ｄ）コモンドライバは駆動極性信号（ＣＯＮ）によって制御されており、電圧切替え制御回路両出力端から提供された液晶正電圧（＋Ｖｌｃｄ）、液晶負電圧（-Ｖｌｃｄ）及び共電極電圧（Ｖｃｏｍ）を受けて通用駆動信号（ＣＯＭ）を出力することを特徴とする、液晶ディスプレイドライバとしている。
請求項２の発明は、請求項１記載の液晶ディスプレイドライバにおいて、前記電圧切替え制御回路は、第一スイッチと第二スイッチを含み、その第一スイッチは、第一出力端を液晶正電圧（＋Ｖｌｃｄ）出力端または分段正電圧（＋Ｖｓｅｇ）出力端に接続、またその第二スイッチは液晶負電圧（-Ｖｌｃｄ）出力端または分段負電圧（−Ｖｓｅｇ）出力端に接続することを特徴とする、液晶ディスプレイドライバとしている。
請求項３の発明は、請求項２記載の液晶ディスプレイドライバにおいて、第一出力端と第二出力端の電性を保存コンデンサの正電圧端（ＶＰ）または負電圧端（ＶＮ）にそれぞれ接続することを特徴とする、液晶ディスプレイドライバとしている。
請求項４の発明は、請求項２記載の液晶ディスプレイドライバにおいて、駆動極性信号（ＣＯＮ）はポジティブ区間（Ｐｏｓｉｔｉｖｅ  Ｆｒａｍｅ）の理論形態において、第一スイッチは第一出力端を分段正電圧（＋Ｖｓｅｇ）出力端に、電圧切替え制御回路は第二出力端を液晶負電圧（-Ｖｌｃｄ）の出力端に接続することを特徴とする、液晶ディスプレイドライバとしている。
請求項５の発明は、請求項２記載の液晶ディスプレイドライバにおいて、駆動極性信号（ＣＯＮ）はネガティブ区間（Ｎｅｇａｔｉｖｅ  Ｆｒａｍｅ）の理論形態である場合、第一スイッチは第一出力端を液晶正電圧（＋Ｖｌｃｄ）出力端に、第二スイッチは第二出力端を分段負電圧（−Ｖｓｅｇ）の出力端に接続することを特徴とする、液晶ディスプレイドライバとしている。
【発明の効果】
【００１３】
本発明の液晶ディスプレイドライバは、電圧切替え制御回路３０を液晶正電圧（＋Ｖｌｃｄ）と液晶負電圧（-Ｖｌｃｄ）に切替ええる為、同一時間に液晶正電圧（＋Ｖｌｃｄ）と液晶負電圧（-Ｖｌｃｄ）が存在することはなく、よって、液晶ディスプレイドライバは半導体製造工程において、元来の回路設計に基づき元来のＶｌｅｄ-ＧＮＤを選択可能で、且つセグメントドライバ２２とコモンドライバ２３に必要な電圧も変わりなく提供できるという特徴を持つ。それにより、製造工程において高電圧製造工程の設備を必要とすることなく、部品サイズも縮小可能である為、大幅に液晶ディスプレイドライバの製造コストを削減するのに効果的である。
【発明を実施するための最良の形態】
【００１４】
図３に、５レベル駆動方法に基づいて動く、本発明実施例の液晶ディスプレイドライバのフローチャートを示す。本発明の液晶ディスプレイドライバは、５つの駆動電圧を発生させる駆動電圧発生回路２１を含み、この５つの駆動電圧とは、液晶正電圧（＋Ｖｌｃｄ）、液晶負電圧（-Ｖｌｃｄ）、分段正電圧（＋Ｖｓｅｇ）、共電極電圧（Ｖｃｏｍ）及び分段負電圧（−Ｖｓｅｇ）のことである。駆動極性信号（ＣＯＮ）によって制御されたセグメントドライバ２２は分段正電圧（＋Ｖｓｅｇ）と分段負電圧（−Ｖｓｅｇ）を受けて分段駆動信号（ＳＥＧ）を出力する。また、駆動極性信号（ＣＯＮ）に制御された電圧切替え制御回路３０は、液晶正電圧（＋Ｖｌｃｄ）分段正電圧（＋Ｖｓｅｇ）分段負電圧（−Ｖｓｅｇ）液晶負電圧（-Ｖｌｃｄ）を受ける。且つ、駆動極性信号（ＣＯＮ）に制御されたコモンドライバ２３は、電圧切替え制御回路３０の第一出力端３０１と第二出力端３０２からそれぞれ出力された液晶正電圧（＋Ｖｌｃｄ）と液晶負電圧（-Ｖｌｃｄ）及び共電極電圧（Ｖｃｏｍ）を受けて通用駆動信号（ＣＯＭ）を出す。
【００１５】
電圧切替え制御回路３０は第一スイッチ３１及び第二スイッチ３２を含む。第一スイッチ３１は駆動極性信号（ＣＯＮ）に対応しており、第一スイッチ３１は液晶正電圧（＋Ｖｌｃｄ）及び分段正電圧（＋Ｖｓｅｇ）の出力端に接続され、並びに、第一出力端３０１はコモンドライバ２３の液晶正電圧（＋Ｖｌｃｄ）に接続されている。第二スイッチ３２も駆動極性信号（ＣＯＮ）に対応しており、第二出力端３０２は液晶負電圧（-Ｖｌｃｄ）分段負電圧（−Ｖｓｅｇ）の出力端に接続され、並びに第二スイッチ３２はコモンドライバ２３の分段負電圧（−Ｖｓｅｇ）に接続されている。
【００１６】
更に詳細に説明すると、本発明は液晶ディスプレイドライバ（例えばＳＴＮ  ＬＣＤやＣＳＴＮ  ＬＣＤ）を操作する場合、駆動極性信号（ＣＯＮ）の理論形態は、ポジティブ区間（Ｐｏｓｉｔｉｖｅ  Ｆｒａｍｅ）とネガティブ区間（Ｎｅｇａｔｉｖｅ  Ｆｒａｍｅ）の時間を表示する。ネガティブ区間（Ｎｅｇａｔｉｖｅ  Ｆｒａｍｅ）の理論形態は低電圧、ポジティブ区間（ＰｏｓｉｔｉｖｅＦｒａｍｅ）の理論形態は高電圧である（図２参照）。もしくは、ネガティブ区間（Ｎｅｇａｔｉｖｅ  Ｆｒａｍｅ）の理論形態は高電圧、ポジティブ区間（Ｐｏｓｉｔｉｖｅ  Ｆｒａｍｅ）は低電圧である（図中未表示）。その内、ポジティブ区間（Ｐｏｓｉｔｉｖｅ  Ｆｒａｍｅ）段階では液晶負電圧（-Ｖｌｃｄ）のみの使用、ネガティブ区間（Ｎｅｇａｔｉｖｅ  Ｆｒａｍｅ）段階では液晶正電圧（＋Ｖｌｃｄ）のみの使用となる。液晶負電圧（-Ｖｌｃｄ）と液晶正電圧（＋Ｖｌｃｄ）は同時に存在しないことが特性である。しかし本発明は、図2に示すように駆動電圧の分段駆動信号（ＳＥＧ）と通用駆動信号（ＣＯＭ）と同様の電圧ウェーブ図が必要である。
【００１７】
図２に示すとおり、駆動極性信号（ＣＯＮ）はポジティブ区間（ＰｏｓｉｔｉｖｅＦｒａｍｅ）において、分段駆動信号（ＳＥＧ）と通用駆動信号（ＣＯＭ）の電圧出力には、分段正電圧（＋Ｖｓｅｇ）共電極電圧（Ｖｃｏｍ）分段負電圧（−Ｖｓｅｇ）及び液晶負電圧（-Ｖｌｃｄ）が必要である。よって、表示状態がポジティブ区間（ＰｏｓｉｔｉｖｅＦｒａｍｅ）段階である場合、第一スイッチ３１は第一出力端３０１を分段正電圧（＋Ｖｓｅｇ）の出力端に接続させ、第二スイッチ３２は第二出力端３０２を液晶負電圧（-Ｖｌｃｄ）の出力端に接続させる。このように、駆動電圧発生回路２１で出力された分段正電圧（＋Ｖｓｅｇ）と分段負電圧（−Ｖｓｅｇ）はセグメントドライバ２２で使用され、並びに分段正電圧（＋Ｖｓｅｇ）共電極電圧（Ｖｃｏｍ）液晶負電圧（-Ｖｌｃｄ）はコモンドライバ２３で用いられる。
【００１８】
駆動極性信号（ＣＯＮ）がネガティブ区間（Ｎｅｇａｔｉｖｅ  Ｆｒａｍｅ）段階である場合、分段駆動信号（ＳＥＧ）と通用駆動信号（ＣＯＭ）電力出力には、液晶正電圧（＋Ｖｌｃｄ）分段正電圧（＋Ｖｓｅｇ）共電極電圧（Ｖｃｏｍ）及び分段負電圧（−Ｖｓｅｇ）が必要である。よって、表示状態がネガティブ区間（Ｎｅｇａｔｉｖｅ  Ｆｒａｍｅ）である時、第一スイッチ３１は第一出力端３０１を液晶正電圧（＋Ｖｌｃｄ）の出力端に接続、第二スイッチ３２は第二出力端３０２を分段負電圧（−Ｖｓｅｇ）の出力端に接続する。駆動電圧発生回路２１が出力した分段正電圧（＋Ｖｓｅｇ）と分段負電圧（−Ｖｓｅｇ）はセグメントドライバ２２で使用され、並びに液晶正電圧（＋Ｖｌｃｄ）共電極電圧（Ｖｃｏｍ）及び分段負電圧（−Ｖｓｅｇ）はコモンドライバ２３に用いられる。その内、分段正電圧（＋Ｖｓｅｇ）と分段負電圧（−Ｖｓｅｇ）はセグメントドライバ２２に使用し、共電極電圧（Ｖｃｏｍ）と液晶正電圧（＋Ｖｌｃｄ）はコモンドライバ２３に用いられる。
【００１９】
本発明は電圧切替え制御回路３０を液晶正電圧（＋Ｖｌｃｄ）と液晶負電圧（-Ｖｌｃｄ）に切替ええる為、同時間内には液晶正電圧（＋Ｖｌｃｄ）と液晶負電圧（-Ｖｌｃｄ）のどちらか一つしか存在しない。よって液晶ディスプレイドライバの半導体製造工程は、元来の回路設計に基づく元来のＶＬＣＤ-ＧＮＤを選択すればよく、セグメントドライバ２２、コモンドライバ２３の必要電圧を変わりなく提供する。図４に本発明液晶ディスプレイドライバの別の実施例フローチャートを示す。本発明の液晶ディスプレイドライバは、更に保存コンデンサ３３を構成要素に加えることが可能である。保存コンデンサ３３は正電圧端（ＶＰ）と負電圧端（ＶＮ）両端を含み、且つ、電圧切替え制御回路３０の第一出力端３０１と第二出力端３０２をそれぞれ正電圧端（ＶＰ）と負電圧端（ＶＮ）に接続する。
【００２０】
第一出力端３０１と第二出力端３０２の電性は保存コンデンサ３３の正電圧端（ＶＰ）及び負電圧端（ＶＮ）に接続する。同様に本実施例を利用した液晶ディスプレイを操作する場合、ポジティブ区間（Ｐｏｓｉｔｉｖｅ  Ｆｒａｍｅ）時には液晶負電圧（-Ｖｌｃｄ）だけが使用され、ネガティブ区間（Ｎｅｇａｔｉｖｅ  Ｆｒａｍｅ）段階では液晶正電圧（＋Ｖｌｃｄ）だけが使用される。即ち液晶負電圧（-Ｖｌｃｄ）と液晶正電圧（＋Ｖｌｃｄ）は同時に存在しない。
【００２１】
本発明実施時の作動方式であるが、表示状態がポジティブ区間（Ｐｏｓｉｔｉｖｅ  Ｆｒａｍｅ）段階である場合、第一スイッチ３１は第一出力端３０１を分段正電圧（＋Ｖｓｅｇ）の出力端に接続し、第二スイッチ３２は第二出力端３０２を液晶負電圧（-Ｖｌｃｄ）の出力端に接続する。よって、保存コンデンサ３３の正電圧端（ＶＰ）の電位は分段正電圧（＋Ｖｓｅｇ）となり、負電圧端（ＶＮ）の電位は液晶負電圧（-Ｖｌｃｄ）となる。即ち、ポジティブ区間（Ｐｏｓｉｔｉｖｅ  Ｆｒａｍｅ）段階において、電圧切替え制御回路３０で起きた分段正電圧（＋Ｖｓｅｇ）と液晶負電圧（-Ｖｌｃｄ）はそれぞれのコモンドライバ２３の正電圧端と負電圧端に出入される。
【００２２】
表示状態がポジティブ区間（Ｐｏｓｉｔｉｖｅ  Ｆｒａｍｅ）からネガティブ区間（Ｎｅｇａｔｉｖｅ  Ｆｒａｍｅ）に転換した場合、制御信号を受けて第一スイッチ３１は分段正電圧（＋Ｖｓｅｇ）の出力端を、第二スイッチ３２は液晶負電圧（-Ｖｌｃｄ）の出力端を切り離した後、第二スイッチ３２は分段負電圧（−Ｖｓｅｇ）の出力端に、第一スイッチ３１は液晶正電圧（＋Ｖｌｃｄ）の出力端に接続する為、保存コンデンサ３３の正電圧端（ＶＰ）は液晶正電圧（＋Ｖｌｃｄ）位置を正確に保持する。
【００２３】
表示状態がネガティブ区間（Ｎｅｇａｔｉｖｅ  Ｆｒａｍｅ）段階にある場合、第一スイッチ３１は第一出力端３０１を液晶正電圧（＋Ｖｌｃｄ）出力端に第二スイッチ３２は第二出力端３０２を分段負電圧（−Ｖｓｅｇ）出力端に接続する。よって、保存コンデンサ３３の正電圧端（ＶＰ）の電位は液晶正電圧（＋Ｖｌｃｄ）、負電圧端（ＶＮ）の電位は分段負電圧（−Ｖｓｅｇ）となる。即ち、ネガティブ区間（Ｎｅｇａｔｉｖｅ  Ｆｒａｍｅ）段階において、電圧切替え制御回路３０は液晶正電圧（＋Ｖｌｃｄ）と分段負電圧（−Ｖｓｅｇ）をコモンドライバ２３の正電圧端と負電圧端にそれぞれ出入する。
【００２４】
表示状態がネガティブ区間（Ｎｅｇａｔｉｖｅ  Ｆｒａｍｅ）からポジティブ区間（ＰｏｓｉｔｉｖｅＦｒａｍｅ）に転換すると、制御信号を受けて第一スイッチ３１は液晶正電圧（＋Ｖｌｃｄ）の出力端を第二スイッチ３２は分段負電圧（−Ｖｓｅｇ）の出力端を切り離した後、第二スイッチ３２は液晶負電圧（-Ｖｌｃｄ）の出力端に第一スイッチ３１は分段正電圧（＋Ｖｓｅｇ）の出力端に切替ええて接続する為、保存コンデンサ３３の負電圧端（ＶＮ）は液晶負電圧（-Ｖｌｃｄ）の位置を正確に保持する。
【００２５】
前記実施例と同様、液晶正電圧（＋Ｖｌｃｄ）液晶負電圧（-Ｖｌｃｄ）は、それぞれネガティブ区間（Ｎｅｇａｔｉｖｅ  Ｆｒａｍｅ）とポジティブ区間（Ｐｏｓｉｔｉｖｅ  Ｆｒａｍｅ）段階で現れ、同時に存在することはなく、よって、駆動電圧発生回路２１出力の駆動電圧＋Ｖｌｃｄと-Ｖｌｃｄも同時に存在することはない。
【図面の簡単な説明】
【００２６】
【図１】５レベル駆動方法に基づいて運用された従来品液晶ディスプレイドライバのフローチャートである。
【図２】図１に示した液晶ディスプレイドライバの駆動極性信号（ＣＯＮ）の分段駆動信号（ＳＥＧ）と通用駆動信号（ＣＯＭ）の電圧ウェーブ図である。
【図３】５レベル駆動方法に基づいて運用された本発明液晶ディスプレイドライバのフローチャートである。
【図４】本発明液晶ディスプレイドライバの別の実施例フローチャートである。
【符号の説明】
【００２７】
１１    駆動電圧発生回路
１２    セグメントドライバ
１３    コモンドライバ
２１    駆動電圧発生回路
２２    セグメントドライバ
２３    コモンドライバ
３０    電圧切替え制御回路
３０１  第一出力端
３０２  第二出力端
３１    第一スイッチ
３２    第二スイッチ
３３    保存コンデンサ
【図１】
2007171243.tif 000003
【図２】
2007171243.tif 000004
【図３】
2007171243.tif 000005
【図４】
2007171243.tif 000006